(57)【特許請求の範囲】
【請求項１】
河川の水位データ及び雨量データを検出してポーリングに応答して上記データを送信する観測局と、通常時には所定時刻から所定時間間隔においてポーリングにより前記観測局からデータ収集を行うセンタ局とからなる情報収集システムにおいて、
前記センタ局には、
前記通常時のポーリング間隔よりも短い間隔または連続的に、或いは任意のタイミングで、ポーリング開始変更の判断の基礎となる情報を取得する取得手段であって、位置情報送付機能付携帯電話機から位置情報とポーリング開始またはポーリング間隔変更に関する指示情報を取得する取得手段と、
前記取得手段が取得した情報に基づきポーリングを開始すべきかポーリング間隔を変更すべきかを判定し、判定結果に基づくポーリングを実行する制御手段であって、上記取得した位置情報に対応する観測局について指示情報に基づくポーリングを実行する制御手段と、
が具備されていることを特徴とする情報収集システム。
【請求項２】
更に、前記制御手段は、取得手段が取得した情報に基づきポーリングを開始すべき地域とポーリング間隔を変更すべき地域を判定し、該地域に対応する観測局を特定して該観測局に対するポーリングを実行することを特徴とする請求項１に記載の情報収集システム。
【請求項３】
更に、前記取得手段は、該当機関からレーダ雨量情報または予測雨量情報を取得し、
更に、前記制御手段は、レーダ雨量情報または予測雨量情報を用いて前記観測局と対応する地域における雨量情報に基づきポーリングを開始すべきかポーリング間隔を変更すべきかを判定し、判定結果に基づくポーリングを実行することを特徴とする請求項１または２に記載の情報収集システム。
【請求項４】
更に、前記取得手段は、監視カメラから画像情報を取得し、
更に、前記制御手段は、画像情報について画像処理を行って降雨状況または河川状況を検出し、ポーリングを開始すべきかポーリング間隔を変更すべきかを判定し、判定結果に基づくポーリングを実行することを特徴とする請求項１または２に記載の情報収集システム。
【請求項５】
前記センタ局は、更に、洪水発生のとき或いは警報発令のときに収集された履歴情報が蓄積された履歴蓄積手段を備え、
前記制御手段は、現在収集しているデータと上記履歴蓄積手段に蓄積されている情報とを比較し、これに基づきポーリングを開始すべきかポーリング間隔を変更すべきかを判定し、判定結果に基づくポーリングを実行することを特徴とする請求項１または２に記載の情報収集システム。
【請求項６】
更に、前記取得手段は、気温と気圧データまた震度データを取得し、
更に、前記制御手段は、データを用いて前記観測局と対応する地域におけるデータに基づきポーリングを開始すべきかポーリング間隔を変更すべきかを判定し、判定結果に基づくポーリングを実行することを特徴とする請求項１または２に記載の情報収集システム。
【請求項７】
更に、前記取得手段は、ダム放流警報情報を取得し、
更に、前記制御手段は、上記取得した情報に対応する観測局についてポーリングを開始し、ポーリング間隔を変更してポーリングを実行することを特徴とする請求項１または２に記載の情報収集システム。
【請求項８】
更に、制御手段は、観測局が配置された地域の地形情報或いは河川の流域情報に基づき、ポーリングを開始すべきかポーリング間隔を変更すべきかを判定する観測局を決定することを特徴とする請求項１または２に記載の情報収集システム。
【請求項９】
更に、制御手段は、ポーリング間隔を段階的に変更することを特徴とする請求項１乃至８のいずれか１項に記載の情報収集システム。
【発明の詳細な説明】
【技術分野】
【０００１】
この発明は、河川の水位データ及び雨量データを観測局からセンタ局へ収集する情報収集システムに関するものである。
【背景技術】
【０００２】
従来の情報収集システムにあっては、一定の時間間隔でセンタ局側から観測局へポーリングを行ってデータ収集を行っている。例えば、通常時には１時間毎にデータ収集を行い、この通常のデータ収集において異常値等が検出された場合に１０分毎にデータ収集を行うようにしている。
【特許文献１】特開平０８−２４８１３６号公報（請求項１等）
【０００３】
しかしながら、例えば８時、９時、１０時、・・・と１時間間隔でデータ収集を行う場合にあっては、１０時には正常値のデータ収集がなされ、実際には１０時１０分に異常値を記録している場合にあっても、次の１１時まではデータ収集がなされないから適切なデータ収集が行えないという問題があった。
【０００４】
上記に対し、常時１０分間隔でデータ収集を行う場合には、観測局が太陽電池等の充電によるバッテリーを用いていることが多く、十分な電源確保が難しいという問題があり、また、有料な回線を使用してデータ収集を行っている場合にはコストの問題がある。また、装置の寿命に関する問題発生も予想される。
【発明の開示】
【発明が解決しようとする課題】
【０００５】
解決しようとする課題は、データ収集のポーリング開始時とポーリング間隔が適切に変更できないということであり、本発明は観測を適切に行うことを可能とする情報収集システムを提供することを目的としている。
【課題を解決するための手段】
【０００６】
本発明に係る情報収集システムは、河川の水位データ及び雨量データを検出してポーリングに応答して上記データを送信する観測局と、通常時には所定時刻から所定時間間隔においてポーリングにより前記観測局からデータ収集を行うセンタ局とからなる情報収集システムにおいて、前記センタ局には、前記通常時のポーリング間隔よりも短い間隔または連続的に、或いは任意のタイミングで、ポーリング開始変更の判断の基礎となる情報を取得する取得手段であって、位置情報送付機能付携帯電話機から位置情報とポーリング開始またはポーリング間隔変更に関する指示情報を取得する取得手段と、前記取得手段が取得した情報に基づきポーリングを開始すべきかポーリング間隔を変更すべきかを判定し、判定結果に基づくポーリングを実行する制御手段であって、上記取得した位置情報に対応する観測局について指示情報に基づくポーリングを実行する制御手段と、が具備されていることを特徴とする。
【０００７】
本発明に係る情報収集システムでは、前記制御手段は、取得手段が取得した情報に基づきポーリングを開始すべき地域とポーリング間隔を変更すべき地域を判定し、該地域に対応する観測局を特定して該観測局に対するポーリングを実行することを特徴とする。
【０００８】
本発明に係る情報収集システムでは、前記取得手段は、該当機関からレーダ雨量情報または予測雨量情報を取得し、前記制御手段は、レーダ雨量情報または予測雨量情報を用いて前記観測局と対応する地域における雨量情報に基づきポーリングを開始すべきかポーリング間隔を変更すべきかを判定し、判定結果に基づくポーリングを実行することを特徴とする。
【０００９】
本発明に係る情報収集システムでは、前記取得手段は、監視カメラから画像情報を取得し、前記制御手段は、画像情報について画像処理を行って降雨状況または河川状況を検出し、ポーリングを開始すべきかポーリング間隔を変更すべきかを判定し、判定結果に基づくポーリングを実行することを特徴とする。
【００１０】
本発明に係る情報収集システムは、洪水発生のとき或いは警報発令のときに収集された履歴情報が蓄積された履歴蓄積手段を備え、前記制御手段は、現在収集しているデータと上記履歴蓄積手段に蓄積されている情報とを比較し、これに基づきポーリングを開始すべきかポーリング間隔を変更すべきかを判定し、判定結果に基づくポーリングを実行することを特徴とする。
【００１１】
本発明に係る情報収集システムでは、前記取得手段は、気温と気圧データまた震度データを取得し、前記制御手段は、データを用いて前記観測局と対応する地域におけるデータに基づきポーリングを開始すべきかポーリング間隔を変更すべきかを判定し、判定結果に基づくポーリングを実行することを特徴とする。
【００１３】
本発明に係る情報収集システムでは、前記取得手段は、ダム放流警報情報を取得し、前記制御手段は、上記取得した情報に対応する観測局についてポーリングを開始し、ポーリング間隔を変更してポーリングを実行することを特徴とする。
【００１４】
本発明に係る情報収集システムでは、制御手段は、観測局が配置された地域の地形情報或いは河川の流域情報に基づき、ポーリングを開始すべきかポーリング間隔を変更すべきかを判定する観測局を決定することを特徴とする。
【００１５】
本発明に係る情報収集システムでは、制御手段は、ポーリング間隔を段階的に変更することを特徴とする。
【発明の効果】
【００１６】
本発明では、通常時のポーリング間隔よりも短い間隔または連続的に、或いは任意のタイミングで、ポーリング開始変更の判断の基礎となる情報を取得し、取得した情報に基づきポーリングを開始すべきかポーリング間隔を変更すべきかを判定し、判定結果に基づくポーリングを実行するので、ポーリング開始とポーリング間隔がフレキシブルに適切に変更され、必要な情報収集を可能とし、観測を適切に行うことが可能となる。
【００１７】
また、本発明では、取得した情報に基づきポーリングを開始すべきかポーリング間隔を変更すべき地域を判定し、該地域に対応する観測局を特定して該観測局に対するポーリングを実行するので、必要な観測局についてのポーリング開始とポーリング間隔がフレキシブルに適切に変更され、必要十分な情報収集を可能とし、観測を適切に行うことが可能となる。
【発明を実施するための最良の形態】
【００１８】
本発明では、通常時のポーリング間隔よりも短い間隔または連続的に、或いは任意のタイミングで、ポーリング開始変更の判断の基礎となる情報を取得して、ポーリングを開始とポーリング間隔を変更に用いる構成を備えることにより、固定的なポーリング周期によるデータ収集の遅れ漏れを防止し、観測を適切に行うという目的を達成したものである。
【実施例１】
【００１９】
以下、添付図面を参照して本発明に係る情報収集システムの実施例を説明する。図１には、本発明に係る情報収集システムにおける実施例の構成が示されている。このシステムには、河川の近くに配置された観測局１１−１〜１１−ｎが備えられると共に、テレメータ収集装置２０と処理装置３０とを有するセンタ局１が備えられている。上記観測局１１−１〜１１−ｎは、例えば図２に示すような××川、○×川、○○川等の近くに、識別番号Ｋ００１〜Ｋ０１１の黒丸にて示す地点に設置される。
【００２０】
観測局１１−１〜１１−ｎには、水位計１２−１〜１２−ｎと雨量計１３−１〜１３−ｎが接続され、河川の水位データ及び雨量データを検出する構成となっている。観測局１１−１〜１１−ｎには、水位データ及び雨量データの収集を行う収集部１４−１〜１４−ｎと回線（ここでは、無線回線を示すが有線回線でも良い）１５−１〜１５−ｎを介してテレメータ収集装置２０との間で通信を行う送受信部１６−１〜１６−ｎが備えられており、収集部１４−１〜１４−ｎがテレメータ収集装置２０からのポーリングを受けてデータ収集を行い、このデータが送受信部１６−１〜１６−ｎからテレメータ収集装置２０へ送信される。
【００２１】
テレメータ収集装置２０には、観測局１１−１〜１１−ｎとの間で通信を行う送受信部２１と、処理装置３０からの指示に基づきポーリングの指揮管理を行う収集管理部２２とが備えられている。なお、本実施例では、観測局１１−１〜１１−ｎを１台のテレメータ収集装置２０により対応処理するものとしてあるが、ｎが大きな数である場合には、複数台のテレメータ収集装置が観測局１１−１〜１１−ｎを幾つかのグループに分けて対応処理する構成を採用する。
【００２２】
処理装置３０は、例えば、パーソナルコンピュータ等により構成され、位置情報記憶部３１、履歴情報記憶部３２、地形・流域情報記憶部３３が接続されている。また、処理装置３０は、気象庁等４１からインターネットにより１０分間隔でレーダ雨量・降雨予測データを得ており、河川の近くに設置された幾つかの監視カメラ４２から回線等を介して画像情報を得ている。更に、処理装置３０は、幾つかの気圧・温度通知部（観測所等）４３から回線等を介して例えば１０分間隔で気圧・温度を得ており、幾つかの震度通知部（観測所等）４４から回線等を介して震度情報を得ている。また、処理装置３０は、電話回線を介して幾つかのＧＰＳ（位置情報送付機能）付携帯電話機４５から位置情報とポーリングを開始やポーリング間隔変更に関する指示情報を得るものであり、また、幾つかのダムに関してダム放流警報情報の通知を幾つかのダム放水通知部（ダム管理事務所等）４６から得ている。
【００２３】
位置情報記憶部３１には、図３に示されるようにテーブルＴＢ１〜ＴＢ５が備えられている。テーブルＴＢ１には、観測局１１−１〜１１−ｎの識別情報（ＩＤ）に対応して、観測局１１−１〜１１−ｎが設置されている位置の位置情報が経度緯度にて記憶されている。テーブルＴＢ２には、夫々の監視カメラ４２の識別情報（ＩＤ）に対応して、それぞれの監視カメラ４２が設置されている位置の位置情報が経度緯度にて記憶されている。テーブルＴＢ３には、夫々の気圧・温度通知部４３の識別情報（ＩＤ）に対応して、それぞれの気圧・温度通知部４３が設置されている位置の位置情報が経度緯度にて記憶されている。テーブルＴＢ４には、夫々の震度通知部４４の識別情報（ＩＤ）に対応して、それぞれの震度通知部４４が設置されている位置の位置情報が経度緯度にて記憶されている。テーブルＴＢ５には、夫々のダムの識別情報（ＩＤ）に対応して、それぞれのダムが設置されている位置の位置情報が経度緯度にて記憶されている。
【００２４】
履歴情報記憶部３２には、例えば図４に示されているように、洪水ＩＤ（識別番号）毎に履歴情報がテーブル化されている。この履歴情報のテーブルは、洪水発生のとき或いは洪水警報発令のときを１つの事案として、夫々の事案に洪水ＩＤ（識別番号）を与えて、関連する観測局等において測定された雨量・水位のデータを記憶したものとなっている。
【００２５】
地形・流域情報記憶部３３には、例えば、図５に示されるように、地形に基づき××川と○×川の流域Ａと、○○川の流域Ｂ等に関する位置情報が記憶されている。例えば、１Ｋｍ四方の大きさのエリアについて、拡大して図示している如く緯度経度による位置情報と流域情報とがセットにされて記憶されている。流域情報は、各１Ｋｍ四方の大きさのエリアについて、流域Ａか流域Ｂであるか、或いはいずれの流域にも属さないものであるのかについての情報である。
【００２６】
処理装置３０には、取得手段３５と制御手段３６とが備えられている。制御手段３６は、特に水位データ及び雨量データ等が定められた値を変位する通常時には、例えばシステムの立ち上げ日の１２時を開始所定時刻とし、この時刻から所定時間（ここでは、１時間）間隔においてポーリングにより観測局１１−１〜１１−ｎからデータ収集を行う処理を行う。取得手段３５は、上記通常時のポーリング間隔よりも短い間隔または連続的に、或いは任意のタイミングで、ポーリング開始変更の判断の基礎となる情報を上記観測局１１−１〜１１−ｎ以外から取得するものである。ここで、上記観測局１１−１〜１１−ｎ以外とは、気象庁等４１、監視カメラ４２、気圧・温度通知部４３、震度通知部４４、ＧＰＳ付携帯電話機４５、ダム放水通知部４６を指している。
【００２７】
制御手段３６は、図６に示されるポーリング時刻の管理テーブルを用いて収集管理部２２に、該当の観測局へポーリングの指示を与える。即ち、図６の管理テーブルは、観測局ＩＤ（識別情報）に対応して、次回のポーリング時刻と、次々回のポーリング時刻とが記憶される。
【００２８】
パーソナルコンピュータ等により構成される制御手段３６は、図７に示されるフローチャートを実行して上記管理テーブルに対して時刻情報のセットを行う。この動作を以下に説明する。まず、管理テーブルの観測局ＩＤ欄のポインタｉに１をセットし（Ｓ１）、ｉ（＝１）番目の観測局（例えば、ＩＤ＝Ｋ００１）より送られた雨量データと水位データを用い、これらの少なくとも一方が所定閾値を超えているかを検出するにより通常のポーリングとするかを判定する（Ｓ２、Ｓ３）。このステップＳ３において、雨量データと水位データの少なくとも一方が所定閾値を超えている場合にはＮＯへ分岐して、定められた規則によりポーリング間隔を変更し、次回時刻欄及び次々回時刻欄へ時刻情報を書き込む（Ｓ４）。例えば、１０分間隔へ変更する規則である場合には、前回時刻から１０分後の時刻情報を次回時刻欄へ書き込み、更にこの次回時刻欄から更に１０分後の時刻情報を次々回時刻欄へ書き込む。
【００２９】
一方、ステップＳ３において通常のポーリングとする判定を行った場合には、ステップＳ３からＹＥＳへ分岐し、通常のポーリングとすべく、前回のポーリング時刻から例えば１時間後の時刻情報を次回時刻欄へ書き込み、更にこの次回時刻欄から更に１時間後の時刻情報を次々回時刻欄へ書き込む（Ｓ５）そして、このステップＳ５の処理の終了或いはステップＳ４の処理の終了に次いで、ポインタｉに１を加算し（Ｓ６）、ポインタｉの値が管理テーブルの最大エントリ（図６の例では、１１）を超えたかを判定し（Ｓ７）、超えていなければ（例えば、ｉ＝２であれば）、ｉ（＝２）番目の観測局（例えば、ＩＤ＝Ｋ００２）より送られた雨量データと水位データを用い、これらの少なくとも一方が所定閾値を超えているかを検出するにより通常のポーリングとするかを判定するステップＳ２、Ｓ３へと進む。
【００３０】
一方、ステップＳ７の判定において、最大エントリを超えていれば（例えば、ｉ＝１２であれば）、ステップＳ１へ戻って管理テーブルの観測局ＩＤ欄のポインタｉに１をセットし（Ｓ１）、ｉ（＝１）番目の観測局（例えば、ＩＤ＝Ｋ００１）より送られた雨量データと水位データを用い、これらの少なくとも一方が所定閾値を超えているかを検出するにより通常のポーリングとするかを判定するステップＳ２、Ｓ３の処理を行う。
【００３１】
上記図７における処理に加えて取得手段３５が取得した情報に基づき、制御手段３６は図８に示されるフローチャートによりポーリングの開始、間隔変更決定を行うので、この図８を参照してポーリングの開始、間隔変更決定の動作を説明する。このフローチャートの処理は、取得手段３５によりデータが取得され制御手段３６へデータが渡される毎にスタートとなる。制御手段３６は、取得手段３５により取得されたデータを用いて、閾値と比較する等して、開始、間隔変更かを判定する（Ｓ１１、Ｓ１２）。
【００３２】
ステップＳ１２において開始、間隔変更を行うこととした場合には、図３の位置情報記憶部３１に記憶された位置情報や地形・流域情報記憶部３３に記憶された流域情報等を用いて、上記ポーリングの開始、間隔変更を適用すべき観測局の特定を行い（Ｓ１３）、次に、図６に示した管理テーブルにおける所要の観測局に対応する次回時刻欄及び次々回時刻欄へ時刻情報を書き込むことによりポーリング開始とポーリング間隔の変更を行う（Ｓ１４）。例えば、制御手段３６による処理に基づきポーリング開始すること及びポーリング間隔を１０分へ変更することが決定されると、現在時刻からマージン時間後の時刻情報を次回時刻欄へ書き込み、更にこの次回時刻欄から１０分後の時刻情報を次々回時刻欄へ書き込む。また、上記ステップＳ１２において開始、間隔変更を行わないこととした場合には、ステップＳ１２においてＮＯへ分岐し、エンドとなる。
【００３３】
この図８における動作が行われる具体例に係る処理を図９に示す。この図９に示されている処理１〜６は、この順に行われることを意味せず、処理１〜６は取得手段３５が取得したデータの種類に応じて実行されるものである。
【００３４】
まず、処理１は、取得手段３５が気象庁等４１からレーダ雨量・降雨予測データを取得した場合に、これに基づきポーリングの開始及び間隔変更の判定を行うというものである。レーダ雨量・降雨予測データは、１Ｋｍ四方のメッシュ毎のレーダ雨量・降雨予測データが提供されるので、例えば、所定閾値を設けて、これを超えているかについて図２の地図の領域における各メッシュについて検出し、超えているメッシュの位置情報が図３に示される位置情報記憶部３１のテーブルＴＢ１における観測局の位置情報と一致或いは位置情報が一定の距離以内であるときに、当該観測局についてポーリングの開始及び間隔変更を行う。このポーリングの開始及び間隔変更の場合には、例えば、制御手段３６による処理に基づきポーリング開始すること及びポーリング間隔を１０分へ変更することが決定されると、現在時刻からマージン時間後の時刻情報を次回時刻欄へ書き込み、更にこの次回時刻欄から１０分後の時刻情報を次々回時刻欄へ書き込む。
【００３５】
更に、地形・流域情報記憶部３３を参照して、ポーリングの開始及び間隔変更に係る観測局が属している流域に存在する観測局全て或いは下流側の観測局について同様にポーリングの開始及び間隔変更を行うこともできる。また、上記において上記閾値を幾つか設けておき、どの閾値を超えているかに応じていずれの観測局について同様にポーリングの開始及び間隔変更を行うかを制御することもできる。このように、制御手段３６は、取得手段３５が取得した情報に基づきポーリングを開始すべきかポーリング間隔を変更すべき地域を判定し、該地域に対応する観測局を特定して該観測局に対するポーリングを実行するものである。
【００３６】
処理２は、取得手段３５が監視カメラ４２から送られた画像情報を取得した場合に、これに基づき画像処理を施し、降雨状況または河川状況検出を行い、ポーリングの開始及び間隔変更の判定を行うというものである。画像処理としては、降雨により反射が生じることを利用して、通常状態の画像情報と対比して輝度レベルが上昇した場合や水溜まりのエリア検出ができた場合に降雨ありと判定し、或いは、河川の監視であれば、水位を画像処理により検出し、通常の画像情報における水位より上昇がみられる場合に降雨ありと判定するものとする。
【００３７】
そして、図３に示される位置情報記憶部３１のテーブルＴＢ１の位置情報とテーブルＴＢ２における監視カメラ４２の位置情報とを用いて、該当監視カメラ４２と位置情報が一致或いは一定の距離以内である観測局を検出し、当該観測局についてポーリングの開始及び間隔変更を行う。この場合に該当の次回時刻欄へ書き込み、更に次々回時刻欄へ書き込む。更に、地形・流域情報記憶部３３を参照して、対象の観測局を求める処理は、処理１の場合と同様にすることができる。
【００３８】
処理３は、履歴情報記憶部３２に蓄積した洪水履歴情報に基づき一致または類似する降雨経過となっている場合を検出し、該当観測局のポーリングの開始及び間隔変更の判定を行うというものである。各観測局１１−１〜１１−ｎについての現時点から所定時間前までの履歴と、履歴情報記憶部３２に図４に示されているように洪水ＩＤ（識別番号）毎にテーブル化されて記憶されている洪水発生のとき或いは洪水警報発令のときの履歴情報を比較し、一致する状態或いは所定回において一致するなど類似する場合に、当該テーブル化されて記憶されている観測局についてポーリングの開始及び間隔変更を行う。この場合に該当の次回時刻欄へ書き込み、更に次々回時刻欄へ書き込む。更に、地形・流域情報記憶部３３を参照して、対象の観測局を求める処理は、処理１の場合と同様にすることができる。
【００３９】
処理４は、気圧・温度通知部４３により通知された気圧・温度について前回と比べて所定以上の変化があった場合に、ポーリングの開始及び間隔変更を行うというものである。この処理３では、テーブルＴＢ３に基づき該当気圧・温度通知部４３の識別情報（ＩＤ）に対応して、それぞれの気圧・温度通知部４３が設置されている位置の位置情報を参照して該当気圧・温度通知部４３が設置されている位置の位置情報を得て、テーブルＴＢ１から観測局の位置情報得てこれと比較し、一致或いは位置情報が一定の距離以内であるものを検出し、当該観測局についてポーリングの開始及び間隔変更を行う。
【００４０】
或いは震度通知により震度が通知された場合に、ポーリングの開始及び間隔変更を行うというものである。このばあいには、テーブルＴＢ４に基づき該当震度通知部４４の識別情報（ＩＤ）に対応して、それぞれの震度通知部４４が設置されている位置の位置情報を参照して該当震度通知部４４が設置されている位置の位置情報を得て、テーブルＴＢ１から得た観測局の位置情報と比較し、一致或いは位置情報が一定の距離以内であるものを検出し、当該観測局についてポーリングの開始及び間隔変更を行う。上記の場合に該当の次回時刻欄へ書き込み、更に次々回時刻欄へ書き込む。更に、地形・流域情報記憶部３３を参照して、対象の観測局を求める処理は、処理１の場合と同様にすることができる。
【００４１】
処理５は、ＧＰＳ付携帯電話機４５からポーリングの開始・間隔変更の指示メールが位置情報と共に送られてきた場合に、ポーリングの開始及び間隔変更を行うというものである。このＧＰＳ付携帯電話機４５から送られる位置情報とテーブルＴＢ１から得られた観測局の位置情報を比較し、一致或いは位置情報が一定の距離以内であるものを検出し、当該観測局についてポーリングの開始及び間隔変更を行う。この場合にも、該当の次回時刻欄へ書き込み、更に次々回時刻欄へ書き込む。更に、地形・流域情報記憶部３３を参照して、対象の観測局を求める処理は、処理１の場合と同様にすることができる。
【００４２】
処理６は、ダム放水通知部４６から放水警報が通知された場合に、ポーリングの開始及び間隔変更を行うというものである。テーブルＴＢ５に基づき該当ダムの識別情報（ＩＤ）に対応して、それぞれのダムが設置されている位置の位置情報を参照して位置情報を得て、テーブルＴＢ１から得られた観測局の位置情報と比較し、一致或いは位置情報が一定の距離以内であるものを検出し、当該観測局についてポーリングの開始及び間隔変更を行う。上記の場合に該当の次回時刻欄へ書き込み、更に次々回時刻欄へ書き込む。更に、地形・流域情報記憶部３３を参照して、対象の観測局を求める処理は、処理１の場合と同様にすることができる。
【００４３】
以上のようにして本実施例では、必要な観測局についてのポーリング開始とポーリング間隔がフレキシブルに適切に変更され、必要十分な情報収集を可能とし、観測を適切に行うことが可能となる。なお、ポーリング間隔は降雨量等に応じて、例えば、１時間→３０分→１０分→５分のように段階的に変更するようにしても良い。また、処理１〜６について全て行うものを示したが、全てを行う必要はなく、処理１〜６の１つ又は幾つかを組み合わせて実行するようにしても良い。更に、履歴情報記憶部３２に蓄積した洪水履歴情報は観測局のものに限らず、処理１〜処理６により得られたデータ（位置情報を含む）ものであっても良く、係る場合には処理１〜処理６によりポーリングの開始及び間隔変更を行った観測局についてポーリングの開始及び間隔変更を行う。
【図面の簡単な説明】
【００４４】
【図１】本発明に係る本発明に係る情報収集システムにおける実施例の構成図。
【図２】本発明に係る本発明に係る情報収集システムの観測局が配置されている位置と観測局ＩＤを示す図。
【図３】本発明に係る本発明に係る情報収集システムのセンタ局における位置情報記憶部に記憶された情報を示す図。
【図４】本発明に係る本発明に係る情報収集システムのセンタ局における履歴情報記憶部に記憶された情報を示す図。
【図５】本発明に係る本発明に係る情報収集システムのセンタ局における地形・流域情報記憶部に記憶された情報を示す図。
【図６】本発明に係る本発明に係る情報収集システムのセンタ局がポーリングを行う際に参照する管理テーブルの情報を示す図。
【図７】本発明に係る本発明に係る情報収集システムのセンタ局がポーリングを行う際の動作を説明するためのフローチャート。
【図８】本発明に係る本発明に係る情報収集システムのセンタ局がポーリングを行う際の動作を説明するためのフローチャート。
【図９】本発明に係る本発明に係る情報収集システムのセンタ局がポーリングの開始・間隔変更を行う際の処理を説明するための図。
【符号の説明】
【００４５】
１  センタ局 
１１−１〜１１−ｎ  観測局 
１２−１〜１２−ｎ  水位計 
１３−１〜１３−ｎ  雨量計 
１４−１〜１４−ｎ  収集部 
１５−１〜１５−ｎ  回線 
１６−１〜１６−ｎ  送受信部 
２０  テレメータ収集装置 
２１  送受信部 
２２  収集管理部 
３０  処理装置 
３１  位置情報記憶部 
３２  履歴情報記憶部 
３３  地形・流域情報記憶部 
３５  取得手段 
３６  制御手段
【図１】
0004801949.tif 000002
【図２】
0004801949.tif 000003
【図３】
0004801949.tif 000004
【図４】
0004801949.tif 000005
【図６】
0004801949.tif 000006
【図７】
0004801949.tif 000007
【図８】
0004801949.tif 000008
【図９】
0004801949.tif 000009
【図５】
0004801949.tif 000010